(57)【要約】【課題】音量感及び快適性が損なわれることを抑制できる音響再生機器を提供する。【解決手段】湾曲する圧電素子１０１、及び、該圧電素子１０１によって直接的に曲げられて振動するパネル１０２を備えた振動部１０と、振動部１０がユーザの耳に当接する位置に当該振動部１０を保持する保持部６０と、を備え、ユーザに対して音を聞かせることを特徴とする。【選択図】図２
2014216861.tif 000002
【特許請求の範囲】
【請求項１】
湾曲する圧電素子、及び、該圧電素子によって直接的に曲げられて振動するパネルを備えた振動部と、
前記振動部がユーザの耳に当接する位置に当該振動部を保持する保持部と、を備え、
前記ユーザに対して音を聞かせる音響再生機器。
【請求項２】
前記振動部は、前記ユーザの耳の内側から、前記ユーザの耳珠に当接して、前記振動を耳珠に伝達させることにより、音をユーザに聞かせる
請求項１に記載の音響再生機器。
【請求項３】
前記振動部は、前記ユーザの耳の内側から、前記ユーザの対耳珠に当接して、前記振動を対耳珠に伝達させることにより、音をユーザに聞かせる
請求項１に記載の音響再生機器。
【請求項４】
前記振動部が前記ユーザの耳に当接する位置に、当該振動部を押し付ける、押付部材を備える
請求項１に記載の音響再生機器。
【請求項５】
前記押付部材は、前記振動部に対して、着脱可能に保持される
請求項４に記載の音響再生機器。
【請求項６】
当該音響再生機器によって、前記ユーザの外耳道が密閉されない請求項１乃至５のいずれかに記載の音響再生機器。
【請求項７】
前記パネルは、当該パネルの中央を腹、該腹の両側を節として振動し、
前記パネルの中央近傍が前記耳珠に当接する
請求項２に記載の音響再生機器。
【請求項８】
前記パネルは、当該パネルの中央を腹、該腹の両側を節として振動し、
前記パネルの中央近傍が前記対耳珠に当接する
請求項３に記載の音響再生機器。
【請求項９】
前記振動部は、前記ユーザの耳の外側から、前記ユーザの耳珠に当接して、前記振動を耳珠に伝達させることにより、音をユーザに聞かせる
請求項１に記載の音響再生機器。
【請求項１０】
前記振動部は、前記ユーザの耳の外側から、前記ユーザの対耳珠に当接して、前記振動を対耳珠に伝達させることにより、音をユーザに聞かせる
請求項１に記載の音響再生機器。
【請求項１１】
さらにマイク部を備え、
該マイク部と前記振動部との間に、前記ユーザの耳が位置する
請求項１乃至１０のいずれかに記載の集音型音響再生機器。
【請求項１２】
前記振動部により、前記ユーザの耳の内部で、外耳道放射音を発生させる
請求項１乃至１１のいずれかに記載の集音型音響再生機器。
【請求項１３】
前記振動部は、前記ユーザの耳に、０．１Ｎから３Ｎの力で押圧されている
請求項１乃至１２のいずれかに記載の集音型音響再生機器。
【請求項１４】
前記圧電素子は、板状をなし、
前記パネルは、前記圧電素子の主面の面積の、０．８倍から１０倍の面積を有する
請求項１乃至１３のいずれかに記載の集音型音響再生機器。
【請求項１５】
前記保持部は所定の自重を有し、前記自重により前記振動部がユーザの耳に当接する方向の力を生じさせる
請求項１乃至１４のいずれかに記載の集音型音響再生機器。
【発明の詳細な説明】
【技術分野】
【０００１】
本発明は、補聴器等の音響再生機器及び集音型音響再生機器に関する。
【背景技術】
【０００２】
従来のオープンフィッティング型の補聴器等の音響再生機器は、装着時のこもり感を軽減するため、外耳道内と外界を導通するベントが設けられている（例えば特許文献１）。従来の補聴器９０の概略図を図１０に示す。従来の補聴器９０は、マイク部９１と、イヤホン９２と、ベント９３とを備える。マイク部９１は音源からの音を集音し、イヤホン９２はマイク部９１が集音した音をユーザに聞かせる。ベント９３は前述したように外耳道内と外界を導通する孔である。ベント９３により外耳道が密閉されないため、補聴器９０を装着した場合に生じるこもり感が軽減される。
【先行技術文献】
【特許文献】
【０００３】
【特許文献１】特開２００６−３０４１４７号公報
【発明の概要】
【発明が解決しようとする課題】
【０００４】
従来のオープンフィッティング型の補聴器９０は、イヤホン９２から発せられた音が、外耳道を通って鼓膜に到来する（図１０の経路i）。またイヤホン９２から発せられた音のうち主に低音が、ベント９３から外界へ逃げる（経路ii）。またイヤホン９２の音の他に、音源からの音がベント９３を通って直接鼓膜に到来する（経路iii）。図１１に、従来の補聴器９０に係る音響特性の概要図を示す。図１１（ａ）は、イヤホン９２が発したイヤホン９２近傍の音の音響特性を示す。図１１（ｂ）は、経路iにより鼓膜に到来した音の音響特性を示す。図１１（ｂ）に示す音響特性は、イヤホン９２近傍の音響特性よりも低音の音圧が低下する。図１１（ｃ）は、経路iiiにより鼓膜に到来した音の音響特性を示す。図１１（ｄ）は経路i及び経路iiiの音の合成、すなわち補聴器を装着しているユーザが聞く実際の音響特性である。図１１（ｄ）に示す音響特性は、ベント９３から低音が逃げてしまう分、低音の音圧が下がり、音量感が損なわれてしまう。一方で低音が逃げることを防止するためにベント９３の直径を小さくすると、こもり感を引き起こし、装着時の快適性を損なってしまう。
【０００５】
従って、上記のような問題点に鑑みてなされた本発明の目的は、音量感及び快適性が損なわれることを抑制できる音響再生機器及び集音型音響再生機器を提供することにある。
【課題を解決するための手段】
【０００６】
上記課題を解決するために本発明に係る音響再生機器は、
湾曲する圧電素子、及び、該圧電素子によって直接的に曲げられて振動するパネルを備えた振動部と、
前記振動部がユーザの耳に当接する位置に当該振動部を保持する保持部と、を備え、
前記ユーザに対して音を聞かせることを特徴とする。
【０００７】
また本発明に係る音響再生機器は、
前記振動部が、前記ユーザの耳の内側から、前記ユーザの耳珠に当接して、前記振動を耳珠に伝達させることにより、音をユーザに聞かせることを特徴とする。
【０００８】
また本発明に係る音響再生機器は、
前記振動部は、前記ユーザの耳の内側から、前記ユーザの対耳珠に当接して、前記振動を対耳珠に伝達させることにより、音をユーザに聞かせることを特徴とする。
【０００９】
また本発明に係る音響再生機器は、
前記振動部が前記ユーザの耳に当接する位置に、当該振動部を押し付ける、押付部材を備えることを特徴とする。
【００１０】
また本発明に係る音響再生機器は、
前記押付部材が、前記振動部に対して、着脱可能に保持されることを特徴とする。
【００１１】
また本発明に係る音響再生機器は、
当該音響再生機器によって、前記ユーザの外耳道が密閉されないことを特徴とする。
【００１２】
また本発明に係る音響再生機器は、
前記パネルは、当該パネルの中央を腹、腹の両側を節として振動し、
前記パネルの中央近傍が前記耳珠に当接することを特徴とする。
【００１３】
また本発明に係る音響再生機器は、
前記パネルは、当該パネルの中央を腹、腹の両側を節としてし、
前記パネルの中央近傍が前記対耳珠に当接することを特徴とする。
【００１４】
また本発明に係る音響再生機器は、
前記振動部は、前記ユーザの耳の外側から、前記ユーザの耳珠に当接して、前記振動を耳珠に伝達させることにより、音をユーザに聞かせることを特徴とする。
【００１５】
また本発明に係る音響再生機器は、
前記振動部は、前記ユーザの耳の外側から、前記ユーザの対耳珠に当接して、前記振動を対耳珠に伝達させることにより、音をユーザに聞かせることを特徴とする。
【００１６】
また本発明に係る集音型音響再生機器は、
さらにマイク部を備え、
該マイク部と前記振動部との間に、前記ユーザの耳が位置することを特徴とする。
【００１７】
また本発明に係る集音型音響再生機器は、
前記振動部により、前記ユーザの耳の内部で、外耳道放射音を発生させることを特徴とする。
【００１８】
また本発明に係る集音型音響再生機器は、
前記振動部は、前記ユーザの耳に、０．１Ｎから３Ｎの力で押圧されていることを特徴とする。
【００１９】
また本発明に係る集音型音響再生機器は、
前記圧電素子が、板状をなし、
前記パネルは、前記圧電素子の主面の面積の、０．８倍から１０倍の面積を有することを特徴とする。
【００２０】
また本発明に係る集音型音響再生機器は、
前記保持部は所定の自重を有し、前記自重により前記振動部がユーザの耳に当接する方向の力を生じさせることを特徴とする。
【発明の効果】
【００２１】
本発明における音響再生機器及び集音型音響再生機器によれば、音量感及び快適性の、相反する２つを共に大きく損なうことがない。
【図面の簡単な説明】
【００２２】
【図１】本発明の一実施形態に係る補聴器を示すブロック図である。
【図２】本発明の一実施形態に係る補聴器のパネル及び圧電素子の湾曲を示す模式図である。
【図３】押付部材を外した場合の補聴器１の状態を示す図である。
【図４】振動部の厚さ方向の側面図である。
【図５】本発明の一実施形態に係る補聴器をユーザの耳に装着した状態を示す図である。
【図６】本発明の一実施形態に係る補聴器からの音の伝達を示す概略図である。
【図７】各経路の音響特性の概要を示す図である。
【図８】本発明の一実施形態に係る補聴器に係る音響特性の実測値を示す図である。
【図９】本発明の一実施形態に係る補聴器の振動部とマイク部の関係図である。
【図１０】従来の補聴器の概略図である。
【図１１】従来の補聴器に係る音響特性の概要を示す図である。
【発明を実施するための形態】
【００２３】
以下、本発明の実施の形態について説明する。
【００２４】
（実施の形態）
【００２５】
図１は本発明の一実施形態に係る音響再生機器１のブロック図である。音響再生機器１は、例えば補聴器１であって、振動部１０と、マイク部２０と、制御部３０と、音量・音質調整インタフェース部４０と、記憶部５０とを備える。
【００２６】
振動部１０は、湾曲する圧電素子１０１と該圧電素子１０１によって直接的に曲げられて振動するパネル１０２とを備える。図２に圧電素子１０１によりパネル１０２が湾曲する様子を模式的に示す。振動部１０は、振動による気導音と人体振動音とをユーザに対して聞かせる。気導音とは、物体の振動に起因する空気の振動が外耳道を通って鼓膜に伝わり、鼓膜が振動することによって利用者の聴覚神経に伝わる音である。人体振動音とは、振動する物体に接触する利用者の体の一部（例えば外耳の軟骨）を介して利用者の聴覚神経に伝わる音である。
【００２７】
圧電素子１０１は、電気信号（電圧）を印加することで、構成材料の電気機械結合係数に従い伸縮または屈曲（湾曲）する素子である。これらの素子は、例えばセラミック製や水晶からなるものが用いられる。圧電素子１０１は、ユニモルフ、バイモルフまたは積層型圧電素子であってよい。積層型圧電素子には、ユニモルフを積層した（たとえば１６層または２４層積層した）積層型ユニモルフ素子、またはバイモルフを積層した（例えば１６層または２４層積層した）積層型バイモルフ素子が含まれる。積層型の圧電素子は、例えばＰＺＴ（チタン酸ジルコン酸鉛）からなる複数の誘電体層と、該複数の誘電体層間に配置された電極層との積層構造体から構成される。ユニモルフは、電気信号（電圧）が印加されると伸縮し、バイモルフは、電気信号（電圧）が印加されると屈曲する。
【００２８】
パネル１０２は、例えばガラス、またはアクリル等の合成樹脂により形成される。好適にはパネル１０２の形状は板状であり、以下パネル１０２の形状が板状であるものとして説明する。
【００２９】
マイク部２０は音源からの音、具体的にはユーザの耳に到来した音を集音する。
【００３０】
制御部３０は、補聴器１に係る各種制御を行う。制御部３０は、圧電素子１０１に所定の電気信号（音信号に応じた電圧）を印加する。具体的には制御部３０において、マイク部２０で集音した音信号を、アナログデジタル変換部３１がデジタル信号に変換する。そして信号処理部３２は、音量・音質調整インタフェース部４０による音量や音質に係る情報及び記憶部５０に格納された情報に基づき、振動部１０を駆動するデジタル信号を出力する。デジタルアナログ変換部３３は当該デジタル信号をアナログの電気信号に変換し、圧電アンプ３４により増幅処理をして電気信号を圧電素子１０１に印加する。制御部３０が圧電素子１０１に対して印加する電圧は、例えば、人体振動音ではなく気導音による音の伝導を目的とした所謂パネルスピーカの印加電圧である±５Ｖよりも高い、±１５Ｖであってよい。これにより、パネル１０２に十分な振動を発生させ、利用者の体の一部を介する人体振動音を発生させることができる。なお、どの程度の印加電圧を用いるかは、パネル１０２の固定強度もしくは圧電素子１０１の性能に応じて適宜調整可能である。制御部３０が圧電素子１０１に電気信号を印加すると、圧電素子１０１は長手方向に伸縮または屈曲する。
【００３１】
このとき、圧電素子１０１が取り付けられたパネル１０２は、圧電素子１０１の伸縮または屈曲にあわせて変形し、パネル１０２が振動する。パネル１０２は、圧電素子１０１の伸縮または屈曲によって湾曲する。パネル１０２は、圧電素子１０１によって直接的に曲げられる。ここで「パネル１０２が圧電素子１０１によって直接的に曲げられる」とは、従来のパネルスピーカで採用されているような、圧電素子１０１をケーシング内に配設して構成される圧電アクチュエータの慣性力によりパネル１０２の特定の領域が加振されてパネル１０２が変形する現象とは異なる。「パネル１０２が圧電素子１０１によって直接的に曲げられる」とは、圧電素子１０１の伸縮または屈曲（湾曲）が、接合部材を介して直にパネル１０２を曲げることを意味する。
【００３２】
以上説明したようにパネル１０２が振動するため、パネル１０２は、気導音を発生させるとともに、利用者が耳珠を接触させた場合、耳珠を介する人体振動音を発生させる。好適にはパネル１０２は、当該パネル１０２の両端近傍を節、中央を腹として振動し、パネル１０２の中央近傍が耳珠や対耳珠に当接する。このようにすることで、パネル１０２の振動を効率よく耳珠や対耳珠に伝達することができる。
【００３３】
図３は、本発明の一実施形態に係る補聴器１の構成を示す概略図である。図３に示すように、振動部１０は、押付部材１１と、押付部材の取付部１２とを備える。押付部材１１は振動部１０取り付けられ、例えば振動部１０がユーザの耳珠に当接する場合、耳珠に対向する外耳道の一部、例えば対耳珠近傍に当接することにより、振動部１０を耳珠の当接する位置に押し付ける。ここで振動部１０がユーザの耳に当接する位置は、例えば耳珠、対耳珠、耳甲介、耳介であってもよい。以下、本実施の形態では、ユーザの耳に当接する位置が耳珠（耳珠側の外耳道内壁）である例について説明する。
【００３４】
押付部材の取付部１２は、振動部１０に押付部材１１を取り付けるための部材である。押付部材１１と取付部１２は、互いに嵌合する形状である。好適には押付部材１１は凹形状の切込部１１１を有し、取付部１２は、当該切込部１１１と嵌合する凸形状である。押付部材１１は、幅方向にスライドして振動部１０に着脱可能である。好適には振動部１０の大きさは、厚さ（Ｄ）が４ｍｍ、幅（Ｗ）が１５ｍｍ以内である。この大きさの範囲内である場合、性別年齢を限らず（幼児以下は除く）、ユーザの耳の外耳道内に振動部１０を収めることができる。また好適には押付部材１１は、３種類のサイズ（小サイズ、中サイズ、大サイズ）があり、ユーザの耳の大きさに合わせて押付部材１１、１１ｂ、１１ｃのいずれかを選択して押付部材の取付部１２に取り付けるようにする。
【００３５】
保持部６０は、支持部６１と、耳かけ部６２と、本体部６３とを備え、振動部１０がユーザの耳に当接する位置（耳珠側の外耳道内壁）に振動部１０を保持する。支持部６１の端部は振動部１０に接続される。支持部６１は中空構造であり、振動部１０へのリード処理は当該中空構造を通して行う。また支持部６１は、振動部１０の角度が変わらない程度の剛性を有する。支持部６１の他端は耳かけ部６２の端部に接続される。
【００３６】
耳かけ部６２は、ユーザの耳介の外側に当接し、補聴器１をユーザの耳に装着する。好適には耳かけ部６２はユーザの耳介に沿うフック形状とし、補聴器１がユーザの耳に安定的に装着されるようにする。耳かけ部６２の他端は本体部６３に接続される。本体部６３は、マイク部２０、制御部３０、音量・音質調整インタフェース部４０、及び記憶部５０を内蔵する。
【００３７】
図４は、振動部１０を厚さ方向からみた側面図である。上述したように振動部１０は、圧電素子１０１と、パネル１０２とを備える。好適には図４に示すように圧電素子１０１は板状である。
【００３８】
圧電素子１０１はパネル１０２に、接合部材により接合される。接合部材は、圧電素子１０１の主面とパネル１０２の主面との間に設けられる。接合部材は、非加熱型硬化性の接着材、または両面テープであるとよい。
【００３９】
また圧電素子１０１のうち、パネル１０２との接合面以外はモールド１０３により覆われる。モールド１０３の上部には、押付部材１１及び押付部材の取付部１２が備えられる。
【００４０】
好適にはパネル１０２の主面は、圧電素子１０１の主面の面積の０．８倍から１０倍の面積を有する。パネル１０２の主面が圧電素子１０１の主面の０．８倍から１０倍の範囲の面積であれば、圧電素子１０１の伸縮または屈曲にあわせて変形でき、かつユーザの耳への接触面積が十分に確保できる。尚、圧電素子と、パネルの面積は、例えば０．８倍から５倍がより好適である。
【００４１】
図５は、本発明の一実施形態に係る補聴器１をユーザの耳に装着した状態を示す図である。図５（ａ）は耳を正面から見た図であり、図５（ｂ）は顔側の側面から見た図である。本発明に係る補聴器１は、振動部１０をユーザの耳の内側から、ユーザの耳珠や対耳珠に当接させ、振動を耳珠や対耳珠に伝達させることにより音をユーザに聞かせる。ここで振動部１０を「ユーザの耳の内側から、ユーザの耳珠や対耳珠に当接させ」るとは、耳の外耳道内に振動部１０を埋入させた時に、外耳道入り口付近から耳珠や対耳珠に当接させることをいう。図５に示す例では、振動部１０をユーザの耳の内側からユーザの耳珠に当接させている。またこのとき押付部材１１は、耳珠に対向する外耳道の一部に当接している。
【００４２】
また図５（ａ）に示すように振動部１０は、保持部６０の自重、すなわち耳かけ部６２の端部に接続された本体部６３の自重により、支持部６１を介して矢印６０１の方向に引っ張られる。図５（ｂ）に示すように、振動部１０は耳珠に引っ掛かるように当接しているため、振動部１０が引っ張られると、振動部１０がユーザの耳に当接する方向（矢印６０２の方向）の力が働く。つまり保持部６０の自重により、振動部１０がユーザの耳に当接する方向の力（押付力）を生じさせる。このように保持部６０は、振動部１０に押付力を生じさせ、振動部１０の振動による音の伝達をより確実にする。
【００４３】
好適には振動部１０は、ユーザの耳に０．１Ｎから３Ｎの力で押圧される。振動部１０が０．１Ｎから３Ｎの範囲で押圧される場合、振動部１０による振動が耳に十分伝達される。また押圧が３Ｎ未満の小さい力であれば、補聴器１を長時間装着してもユーザの疲労感は少なく、装着時の快適性を維持することができる。
【００４４】
また図５（ａ）に示すように、本発明の補聴器１は、振動部１０及び押付部材１１により外耳道が密閉されていない。このため本発明の補聴器１は、こもり感が生じず、装着時の快適性を維持することができる。
【００４５】
続いて本発明の一実施形態に係る補聴器１について、図６から図８を用いて音響特性を説明する。
【００４６】
図６は、本発明の一実施形態に係る補聴器１からの音の伝達を示す概略図である。図６では補聴器１については振動部１０及びマイク部２０のみを図示している。マイク部２０は、音源からの音を集音し、振動部１０は、マイク部２０が集音した音を、振動によりユーザに聞かせる。
【００４７】
図６に示すように、音源からの音は、振動部１０により覆われていない部分から外耳道を通って、直接鼓膜に到来する（経路I）。また振動部１０の振動による気導音が、外耳道を通って鼓膜に到来する（経路II）。また振動部１０の振動により少なくとも外耳道内壁が振動し、当該外耳道の振動による音（外耳道放射音）が鼓膜に到来する（経路III）。さらに振動部１０の振動により人体振動音が、鼓膜を介さずに聴覚神経に直接到来する（経IV）。なお振動部１０から生じた一部の気導音は、外界へ逃げる（経路V）。
【００４８】
図７は、各経路の音響特性の概要図を示す。図７（ａ）は、経路Iの音の音響特性であり、図７（ｂ）は、経路II及びIIIによる音の音響特性である。経路II及びIIIによる音は、経路Vにより低音が逃げてしまうため、低音の領域の音圧が低い。図７（ｃ）は経IVの音響特性である。図７（ｃ）に示すように、人体振動音は、低音即ち周波数の低い領域の振動であるため、減衰しにくく、従って、高音に比較して伝達されやすい。従って相対的に、低音が十分に伝達する。図７（ｄ）は、経路ＩかIVの音の合成、すなわち補聴器１を装着しているユーザが聞く実際の音響特性である。図７（ｄ）に示すように、経路Vで低音の音圧が外界へ逃げてしまうものの、人体振動音により低音の音圧、特に、本実施例においては１ｋＨｚ以下の低音の音圧が確保できるため、音量感を維持することができる。
【００４９】
図８は、本発明の補聴器１の周波数特性の実測値である。“ａｉｒ”は図６における経路II及び経路IIIの音の周波数特性であり、“ｖｉｂ”は、図６における経路IVの音の周波数特性である。また“ａｉｒ＋ｖｉｂ”は、経路IIから経路IVの音を合成した音の周波数特性である。また“外部からの音”は、図６における経路Iの音の周波数特性である。これらの実測値が示すように、低音の音圧が人体振動音により伝達されるため、音量感を損なうことを抑制することができる。
【００５０】
図９は、本発明の一実施形態に係る補聴器１の振動部１０とマイク部２０の関係を示す図である。マイク部２０は、保持部６０の本体部６３に備えられるため、耳介の外側に位置する。図９（ａ）は振動部１０を、ユーザの耳の外側からユーザの耳珠に当接させている例である。この場合、振動部１０により発せられた気導音は、マイク部２０まで遮蔽するものがないため、マイク部２０に戻る帰還量が多く、ハウリングがしやすくなり、補聴器１の性能（増幅量）を上げることができない。
【００５１】
これに対して図９（ｂ）は振動部１０を、ユーザの耳の内側からユーザの耳珠に当接させている。この場合、マイク部２０と振動部１０との間に、ユーザの耳（主に耳珠、耳輪脚）が位置することになる。そのため、振動部１０により発せられた音は、ユーザの耳により反射が起こり、マイク部２０に音が直接帰還する量が、図９（ａ）の場合よりも少ない。そのため、ハウリングがしにくくなり、補聴器１の性能を上げることができる。
【００５２】
ここでマイク部２０と振動部１０との間に、ユーザの耳が位置する好適な例としては、耳輪、耳介結節、耳垂等の耳の外周部が、間に存在していればよい。或いは、外周部の他に、対耳輪下脚、対耳輪等も間に存在していてもよい。
【００５３】
以上説明したように、本発明の補聴器１によれば、振動部１０の振動によりユーザの耳に音を聞かせるため、低音の音圧が人体振動音により確保でき音量感を損なうことを抑制することができるとともに、低音が逃げることを防止するためのベントを備える必要がないため、装着時の快適性を損なうことを抑制することができる。
【００５４】
なお、本実施の形態では、音響再生機器が補聴器１である例を示したが、これに限られない。例えば音響再生機器はヘッドホンやイヤホンであってもよく、この場合マイク部２０は備えない。またこの場合、音響再生機器の内部メモリに記憶された音楽データに基づく音や、外部サーバ等に記憶されている音楽データに基づく音がネットワークを介して音響再生機器により再生されるようにしてもよい。
【００５５】
なお、本実施の形態では、振動部１０をユーザの耳の内側から、前記ユーザの耳珠に当接させ、振動を耳珠に伝達させることにより、音をユーザに聞かせる例を示したがこれに限られない。例えば、振動部１０をユーザの耳の内側から、前記ユーザの対耳珠に当接して振動を対耳珠に伝達させることにより、音をユーザに聞かせてもよい。また振動部１０をユーザの耳の外側から、前記ユーザの耳珠や対耳珠に当接して、振動を耳珠や対耳珠に伝達させることにより、音をユーザに聞かせてもよい。なお「ユーザの耳の外側から、ユーザの耳珠や対耳珠に当接させ」るとは、振動部１０を外耳道内に埋入させることなく、凡そ頬やこめかみと平行にして、耳珠や対耳珠に当接させることをいう。
【００５６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各部材等に含まれる機能等は論理的に矛盾しないように再配置可能であり、複数の手段や部材等を１つに組み合わせたり、或いは分割したりすることが可能である。
【符号の説明】
【００５７】
１  音響再生機器（補聴器）
１０  振動部
１１  押付部材
１２  取付部
２０  マイク部
３０  制御部
３１  アナログデジタル変換部
３２  信号処理部
３３  デジタルアナログ変換部
３４  圧電アンプ
４０  音量・音質調整インタフェース部
５０  記憶部
６０  保持部
６１  支持部
６２  耳かけ部
６３  本体部
９０  補聴器
９１  マイク部
９２  イヤホン
９３  ベント
１０１  圧電素子
１０２  パネル
１０３  モールド
１１１  切込部
【図１】
2014216861.tif 000003
【図３】
2014216861.tif 000004
【図４】
2014216861.tif 000005
【図５】
2014216861.tif 000006
【図６】
2014216861.tif 000007
【図７】
2014216861.tif 000008
【図８】
2014216861.tif 000009
【図９】
2014216861.tif 000010
【図１０】
2014216861.tif 000011
【図１１】
2014216861.tif 000012
【図２】
2014216861.tif 000013